(57)【要約】【課題】外気に関するデータを取得するセンサ部を備えたＩＣタグの紛失を防止できるＩＣタグの添付構造を提供する。【解決手段】ＩＣタグ２０の添付対象物３０に対する添付構造を、ＩＣタグ２０より外形が大きくかつＩＣタグ２０を収容し、添付対象物３０に対して着脱可能に装着される収容部１０と、収容部１０を添付対象物３０に装着した状態で収容部３０の外気に関するデータを取得し、測定データをＩＣタグ２０に提供するセンサ部とを備える構成とした。【選択図】図１
2007323387.tif 000002
【特許請求の範囲】
【請求項１】
ＩＣタグと、
前記ＩＣタグより外形が大きくかつ前記ＩＣタグを収容し、添付対象物に対して着脱可能に装着される収容部と、
前記収容部を前記添付対象物に装着した状態で前記収容部の外気と連通し、前記外気に関するデータを前記ＩＣタグに提供するセンサ部と
を備えるＩＣタグの添付構造。
【請求項２】
請求項１に記載のＩＣタグの添付構造において、
前記センサ部が前記収容部に収容されるとともに、前記収容部がその内部と外部とを連通する通気孔を備えること
を特徴とするＩＣタグの添付構造。
【請求項３】
請求項１に記載のＩＣタグの添付構造において、
前記センサ部が前記収容部の外部に配置され、
前記収容部が前記センサ部と前記ＩＣタグとを接続する接続部が挿通される挿通孔を備えること
を特徴とするＩＣタグの添付構造。
【請求項４】
請求項１から請求項３までのいずれか１項に記載のＩＣタグの添付構造において、
前記収容部が可撓性を有する材料によって袋状に形成されること
を特徴とするＩＣタグの添付構造。
【請求項５】
請求項１から請求項４までのいずれか１項に記載のＩＣタグの添付構造において、
前記収容部がその表面に情報表示領域を有すること
を特徴とするＩＣタグの添付構造。
【請求項６】
請求項１から請求項５までのいずれか１項に記載のＩＣタグの添付構造において、
前記センサ部が温度センサを含むこと
を特徴とするＩＣタグの添付構造。
【発明の詳細な説明】
【技術分野】
【０００１】
本発明は、ＩＣタグを添付対象物に添付するＩＣタグの添付構造に関するものである。
【背景技術】
【０００２】
ＩＣタグは、ＲＦＩＤ（Radio Frequency Identification）とも称され、ＩＣチップに対するデータの書き込み及びＩＣチップが保持するデータの読み取りを無線通信によって非接触状態で行うことができるものである。
また、ＩＣタグは、温度センサを備え、所定の時間毎に温度を計測してＩＣチップに記録するものが知られている。
このような温度センサ付きのＩＣタグは、農産物や水産物等の食料品に添付され、これらの食料品が保冷車等によって生産者から販売店舗に輸送される際にどのような温度環境下にあったかを管理するシステムに用いられている（例えば、特許文献１参照）。
【０００３】
このシステムにおいて、ＩＣタグは、販売店舗等の流通経路の最下流部から生産者側に返送して再利用することが望ましいが、近年、ＩＣタグは、より小型化、薄型化される傾向にあり、これに伴い紛失の可能性も高くなっている。特に使用後に廃棄される段ボール箱等にＩＣタグを貼り付ける場合、ＩＣタグは、これらとともに廃棄される可能性がより高くなるという問題があった。
【特許文献１】特開２００４−２１７４２６号公報
【発明の開示】
【発明が解決しようとする課題】
【０００４】
本発明の課題は、外気に関するデータを取得するセンサ部を備えたＩＣタグの紛失を防止できるＩＣタグの添付構造を提供することである。
【課題を解決するための手段】
【０００５】
本発明は、以下の解決手段により、前記課題を解決する。
請求項１の発明は、ＩＣタグと、前記ＩＣタグより外形が大きくかつ前記ＩＣタグを収容し、添付対象物に対して着脱可能に装着される収容部と、前記収容部を前記添付対象物に装着した状態で前記収容部の外気と連通し、前記外気に関するデータを前記ＩＣタグに提供するセンサ部とを備えるＩＣタグの添付構造である。
【０００６】
請求項２の発明は、請求項１に記載のＩＣタグの添付構造において、前記センサ部が前記収容部に収容されるとともに、前記収容部がその内部と外部とを連通する通気孔を備えることを特徴とするＩＣタグの添付構造である。
請求項３の発明は、請求項１に記載のＩＣタグの添付構造において、前記センサ部が前記収容部の外部に配置され、前記収容部が前記センサ部と前記ＩＣタグとを接続する接続部が挿通される挿通孔を備えることを特徴とするＩＣタグの添付構造である。
請求項４の発明は、請求項１から請求項３までのいずれか１項に記載のＩＣタグの添付構造において、前記収容部が可撓性を有する材料によって袋状に形成されることを特徴とするＩＣタグの添付構造である。
請求項５の発明は、請求項１から請求項４までのいずれか１項に記載のＩＣタグの添付構造において、前記収容部がその表面に情報表示領域を有することを特徴とするＩＣタグの添付構造である。
請求項６の発明は、請求項１から請求項５までのいずれか１項に記載のＩＣタグの添付構造において、前記センサ部が温度センサを含むことを特徴とするＩＣタグの添付構造である。
【発明の効果】
【０００７】
以上説明したように、本発明のＩＣタグの添付構造によれば、ＩＣタグを収容した収容部は、添付対象物に着脱可能に設けられているから、この収容部単位でＩＣタグを取り扱うことができる。この収容部は、その外形がＩＣタグより大きいから、ＩＣタグの紛失を防止できる。また、センサ部は、収容部に収容された状態で外気と連通しているから、外気のデータを正確に測定できる。
【発明を実施するための最良の形態】
【０００８】
本発明は、外気に関するデータを取得するセンサ部を備えたＩＣタグの紛失を防止できるＩＣタグの添付構造を提供するという課題を、封筒状に形成された収容部にＩＣタグを収容し、この収容部を添付対象物である段ボール箱に着脱可能に装着することによって解決した。
【実施例１】
【０００９】
以下、図面を参照して、本発明を適用したＩＣタグの添付構造の実施例１について説明する。
実施例１のＩＣタグの添付構造において、ＩＣタグは、温度センサ付のＩＣタグであって封筒状の収容部に収容され、その添付対象物は農産物を収納した段ボール箱である。
図１は、本発明を適用したＩＣタグの添付構造の実施例１を示す図であり、（ａ）は、ＩＣタグを収容した収容部を、（ｂ）は、（ａ）の収容部が添付された状態の段ボール箱をそれぞれ示す斜視図である。
図２は、収容部の平面図である。
図３は、段ボール箱に添付される配送先識別ラベルを示す平面図である。
【００１０】
収容部１０は、例えば、日本工業規格（ＪＩＳ）に規定によるＡ５サイズ（２１０ｍｍ×１４８ｍｍ）に相当する大きさの紙製の封筒であり、表紙部１１、裏表紙部１２、側面部１３、底面部１４、フラップ１５、通気孔１６、ＩＣタグ２０を備えている。
表紙部１１、裏表紙部１２は、それぞれ、例えば、Ａ５サイズの面部であり、所定の間隔をおいて重ねて配置されている。
また、表紙部１１の裏表紙部１２と対向する面部とは反対側の面部であって、その中央部分には、情報表示領域１１ａが設けられている。この情報表示領域１１ａに表示される事項については後述する。
側面部１３は、表紙部１１の長手方向と平行に延在して設けられた帯状の紙片であり、表紙部１１、裏表紙部１２の短辺方向の両端部に一対設けられ、これらの両端部を接続している。
底面部１４は、表紙部１１の短辺方向と平行に延在して設けられた帯状の紙片であり、表紙部１１、裏表紙部１２の長手方向の一方の端部を接続している。
【００１１】
フラップ１５は、裏表紙部１２の長手方向の他方の端部に一体に接続された帯状の紙片であり、裏表紙部１２との境界部に沿って折り曲げられることによって表紙部１１に重なるように折り返され、表紙部１１、裏表紙部１２の長手方向の他方の端部側に形成された開口を封緘している。
通気孔１６は、底面部１４を貫通して形成された孔部であり、表紙部１１の短辺方向に沿って略等間隔に、例えば、６つ形成されている。また、通気孔１６は、表紙部１１の他方の端部寄り（底面部１４寄り）の領域にも、例えば、８つ、適当な間隔で形成されている。さらに、通気孔１６は、側面部１３にも、例えば、ふたつ形成されている。
【００１２】
ＩＣタグ２０は、合成樹脂材料によってその平面形が長方形状に形成されたカード型のケースを備え、その内部にそれぞれ図示しないデータ通信部、温度測定部を収容した公知の温度センサ付ＩＣタグである。このケースの外形寸法は、収容部１０の外形寸法（Ａ５サイズ）よりも小さくなっている。
データ通信部は、アンテナ、ＩＣチップを備え、例えば、１３．５６ＭＨｚの周波数帯域の電波を用いて外部に設けられた通信装置と電磁誘導方式の通信を行うようになっている。このＩＣチップは、段ボール箱３０の個体の識別を可能にするＩＤ番号等の情報を保持するとともに、後述する温度センサが取得した温度データを保持するようになっている。
【００１３】
温度測定部は、温度センサ、制御部、バッテリ等を備えている。
温度センサは、ＩＣタグ２０の周辺温度を測定する部分であり、例えば、サーミスタ等を備えている。この温度センサは、ＩＣタグ２０が収容部１０へ収容された状態で、通気孔１６を介して収容部１０の外気に触れるようになっており、この外気の温度データを制御部を介してデータ通信部のＩＣチップに提供するようになっている。
【００１４】
図１（ｂ）に示すように、このＩＣタグ２０を収容した収容部１０は、段ボール箱３０の上面部に裏表紙部１２の表紙部１１と対向する面部とは反対側の面部が、例えば、再剥離可能な両面テープによって着脱可能に接着されている。
この段ボール箱３０は、その内部に、例えば、野菜等の農産物３１を収納し、この農産物３１は、輸送時における周囲の温度を温度センサ付のＩＣタグ２０によって測定、記録する公知の物流管理システム４０によって品質管理が行われる。
【００１５】
図４は、物流管理システムの構成を示す概略図である。
物流管理システム４０において、農産物３１を収容した段ボール箱３０は、農産物３１の生産者４１から物流センタ４２を経由して販売店舗４３に搬送される。この農産物３１（段ボール箱３０）は、上述のようにＩＣタグ２０を収容した収容部１０が着脱可能に装着され、ＩＣタグ２０の温度測定部は、農産物１０が生産者４１側から販売店舗４３に運送される間の運送車両の荷室内の温度や物流センタ４２に備えられた保管ヤードの温度等、農産物３１の周辺の温度を所定時間毎に測定する。
この段ボール箱３０の側面部には、その配送先である販売店舗４３の名称等、販売店舗４３を特定できる情報が表示された配送先識別ラベル３２が添付されている（図１（ｂ）及び図３参照）。
【００１６】
また、物流管理システム４０は、データセンタ４４を備えている。
物流センタ４２や販売店舗４３（以下、「アクセスポイントＡＰ」と称して説明する）は、それぞれＩＣタグリーダを備えており、ＩＣタグ２０が保持する温度履歴に関するデータは、段ボール箱３０がこれらのアクセスポイントＡＰに到着するごとにデータセンタ４４に備えられたサーバに、例えば、インターネット等の電気通信回線網を介して転送されて蓄積される。このサーバに蓄積された農産物３１の温度履歴データは、例えば、農産物３１の関係者や消費者等が閲覧することができ、このシステムのユーザは、この温度履歴データに基づいて農産物３１の品質管理を行う。
また、ユーザは、温度履歴データを取得した後、収容部１０（ＩＣタグ２０）を段ボール箱３０から剥がして、新たな農産物等が生産者側から出荷されるのに備えて、例えば、郵便や宅配便によって生産者４１側に返送する。
前述した収容部１０の表紙部１１に設けられた情報表示領域１１ａは、この収容部１０（ＩＣタグ２０）の返送先を特定できる生産者４１の住所や電話番号等が予め印刷されている。
【００１７】
以上、説明したように、本実施例のＩＣタグの添付構造によれば、以下の効果を得ることができる。
（１）ＩＣタグ２０をＩＣタグ２０より外形形状が大きい封筒状の収容部１０に収容し、この収容部１０を添付対象物である段ボール箱３０に対して着脱可能に装着したから、この収容部１０を段ボール箱３０から剥がして返送すればよく、ＩＣタグ２０の紛失を防止できる。
（２）収容部１０に複数の通気孔１６を設けたから、収容部１０の内部と外部との温度の差を小さくすることができ、ＩＣタグ２０は、段ボール箱３０の周辺の温度を正確に測定できる。
（３）表紙部１１に、返送先である生産者の住所を印刷したから、収容部２０は、段ボール箱３０から剥がした後、直ちに返送できるので便利である。
【実施例２】
【００１８】
次に、本発明を適用したＩＣタグの添付構造の実施例２について説明する。
なお、以下説明する実施例２において、実施例１と同様な機能を果たす部分には、同一の符号又は末尾に統一した符号を付して、重複する説明や図面を適宜省略する。
図５は、実施例２の収容部を示す斜視図である。
実施例２のＩＣタグ５０は、本体部５１、外部温度センサ５２、接続ケーブル５３を備えている。
本体部５１は、実施例１における温度センサ付のＩＣタグ２０を同様にカード状に形成され、データ通信部、情報処理部等を備えるとともに接続ケーブル５３の端子が接続される端子口を有しており、実施例１と同様に収容部１０に収容されている。
【００１９】
外部温度センサ５２は、実施例１の温度センサと同様にサーミスタ等を備えた温度測定部であり、本体部５１と分離して、例えば、３つ設けられ、例えば、段ボール箱３０の上面部、側面部、内部等、段ボール箱３０の任意の場所の温度データを同時に測定することができるようになっている。
接続ケーブル５３は、外部温度センサ５２を本体部５１に接続する接続部であり、外部温度センサ５２に対応して、例えば、３本設けられている。この接続ケーブル５３は、通気孔１６を貫通して配置され、通気孔１６は、挿通孔として機能する。
実施例２のＩＣタグの添付構造によれば、収容部１０の通気孔１６に接続ケーブル５３を貫通させることによって、外部温度センサ５２を本体部５１に容易に接続できる。
【００２０】
（変形例）
本発明は、以上説明した実施例に限定されることなく、種々の変形や変更が可能であって、それらも本発明の技術的範囲内である。
（１）実施例の収容部は、紙によって封筒状に形成されていたが、収容部の構成はこれに限られず適宜変更が可能であり、例えば、材料が合成樹脂製であってもよく、その形状は、例えば、箱型であってもよい。
（２）実施例のＩＣタグの添付構造は、農産物の物流管理システムに用いられていたが、これに限らず、例えば、保管場所の湿度を管理する必要がある美術品等を搬送する際に、この美術品等に添付して保管状態を記録するシステムに用いてもよい。
（３）実施例のＩＣタグに備えられたセンサは、温度センサであったが、これに限らず、例えば、湿度センサ、照度センサ、ガス濃度センサ等の他のセンサであってもよい。また、ＩＣタグは、複数のセンサを備えたマルチセンサタイプであってもよい。
【図面の簡単な説明】
【００２１】
【図１】本発明を適用したＩＣタグの貼付構造の実施例１を示す図である。
【図２】収容部を示す平面図である。
【図３】配送先識別ラベルを示す平面図である。
【図４】物流管理システムの構成を示す概略図である。
【図５】実施例２の収容部を示す斜視図である。
【符号の説明】
【００２２】
１０  収容部
１１ａ  情報表示領域
１６  通気孔
２０  ＩＣタグ
３０  段ボール箱
３１  農産物
【図１】
2007323387.tif 000003
【図２】
2007323387.tif 000004
【図３】
2007323387.tif 000005
【図４】
2007323387.tif 000006
【図５】
2007323387.tif 000007